(57)【要約】【課題】ワイヤカット等で軸方向に分割された外輪の外周面を研摩できるように構成した外輪を備えた分割ころ軸受を提供する。【解決手段】両端部に鍔部５ａ，５ｂが設けられ軸方向に分割された外輪１と、この外輪１の軌道面４に沿って配設された多数のころ１０と、これらころ１０を保持する保持器１１とを有し、外輪１の鍔部５ａ，５ｂの外壁面に、研摩装置に係止する係止部６ａ，６ｂを設けた。そして、この係止部６ａ，６ｂを、リング状の突条又は複数の突部で形成した。【選択図】図１
2007270850.tif 000002
【特許請求の範囲】
【請求項１】
両端部に鍔部が設けられ軸方向に分割された外輪と、該外輪の軌道面に沿って配設された多数のころと、該ころを保持する保持器とを有し、
前記外輪の鍔部の外壁面に、研摩装置に係止する係止部を設けたことを特徴とする分割ころ軸受。
【請求項２】
前記外輪の鍔部に設けた係止部が、外輪と同心上に設けたリング状の突条又は複数の突部であることを特徴とする請求項１記載の分割ころ軸受。
【請求項３】
前記外輪の鍔部に設けた係止部が、外輪と同心上に向けたリング状の凹溝又は複数の凹部であることを特徴とする分割ころ軸受。
【発明の詳細な説明】
【技術分野】
【０００１】
本発明は、例えばエンジンのクランク軸とコネクティングロッドとの連結部やカム軸の軸受の如く、外輪を環状状態のままで装着することができない場合に使用する分割ころ軸受に関するものである。
【背景技術】
【０００２】
従来の分割ころ軸受の外輪は、一般に、円筒素材から所定の形状に加工したのち、外輪の軸方向の両端面の対角位置に、径方向に沿うノッチを設け、このノッチの外周面から尖鋭な治具を用いて打撃し、ノッチに応力を集中させてクラックを発生させ、軸方向の全長にわたって分割していた（例えば、特許文献１参照）。
【０００３】
【特許文献１】特開昭６３−２９１２９号公報（第１−２頁、図１−２）
【発明の開示】
【発明が解決しようとする課題】
【０００４】
特許文献１のような手段によって分割した外輪は、例えばエンジンのクランク軸とコネクティングロッドとの連結部やカム軸に組込んだ際に軸方向にずれが生じ易く、このずれにより外輪の内周面（軌道面）に段差が生じ、ころがこのエッジ部に衝突して振動や騒音が発生するばかりでなく、軸受の疲労破壊が進行して寿命が低下するなどの問題があった。
【０００５】
このような問題を解決するために、外輪をワイヤカットにより軸方向にＶ字状等に切断して分割することが行われている。これにより軸方向のずれの問題は解決できるが、周長の一部がワイヤカットにより切断代（しろ）をとられるため、分割した２部分を組立てると、切断部分と直交する部分の外径ｄ1が切断部分の外径ｄより小さくなり、このため楕円形になってしまうという問題が生じる。
この場合、外輪の内周面（軌道面）は切断したのちリングに入れて研摩することができるが、外周面を研摩することができなかった。
【０００６】
本発明は、上記の課題を解決するためになされたもので、ワイヤカットで軸方向に分割された外輪の外周面も研摩できるように構成した外輪を備えた分割ころ軸受を提供することを目的としたものである。
【課題を解決するための手段】
【０００７】
本発明に係る分割ころ軸受は、両端部に鍔部が設けられ軸方向に分割された外輪と、該外輪の軌道面に沿って配設された多数のころと、該ころを保持する保持器とを有し、前記外輪の鍔部の外壁面に、研摩装置に係止する係止部を設けたものである。
【０００８】
上記外輪の鍔部に設けた係止部を、外輪と同心上に設けたリング状の突条又は複数の突部で形成した。
また、上記外輪の鍔部に設けた係止部を、外輪と同心上に設けたリング状の凹溝又は複数の凹部で形成した。
【発明の効果】
【０００９】
本発明に係る分割ころ軸受は、軸方向に切断して分割される外輪の鍔部の外壁面に係止部を設け、この係止部を研摩装置に係止させて外周面を研摩するようにしたので、切断によって楕円形状に組立てられる外輪の外周面をほぼ真円に形成することができる。これにより、ハウジングに組込んだ際に騒音を発生したり疲労破壊を生ずることがなく、軸受の寿命を延すことができる。
【発明を実施するための最良の形態】
【００１０】
［実施の形態１］
図１は本発明の実施の形態１に係る分割ころ軸受の一部を省略した縦断面図、図２は図１の外輪の斜視図である。
図において、１は外輪で、円筒状の本体部２の軸方向の両端面には中心部に向かう鍔部５ａ，５ｂが設けられており、この鍔部５ａ，５ｂの外壁面には、本体部２と同心上に、後述の研摩装置を構成するチャック１５に係止する係止部であるリング状の突条６ａ，６ｂが設けられている。１０は外輪１の内周面（軌道面）に沿って配設された多数のころ、１１はころ１０を保持する保持器である。
【００１１】
上記のように構成した外輪１は、円筒素材から所定の形状に加工したのち、ワイヤカットにより軸方向にＶ字状、Ｎ字状、Ｕ字状等に切断して分割される（図には、対象位置に互いに反対方向にＶ字状に突出した切断線７に沿って軸方向に切断し、分割する場合が示してある）。
このようにして分割された外輪１は、ワイヤカットにより周長の一部が切断代（しろ）を取られてしまうため、組立てた場合に、前述のように真円とならず、楕円形状になってしまう。
【００１２】
本実施の形態においては、分割された外輪１を組合わせて、図３に示すように、その両端面を研摩装置のチャック１５又は研摩装置に取付けられる治具（以下両者を合わせてチャックという）で固定し、外輪１の外周面を砥石２０で研摩してほぼ真円に形成するようにしたものである。
ここで、チャック１５は、その外径が外輪１の外径より僅かに小さく、外輪１を両側から固定する円板状の固定部１６ａ，１６ｂを有し、外輪１を固定したときに、外輪１の外周面が固定部１６ａ，１６ｂの外周面から僅かに露出するようになっている。また、固定部１６ａ，１６ｂの内壁には、外輪１の鍔部５ａ，５ｂに設けた突条６ａ，６ｂに対応してリング状の凹溝１７ａ，１７ｂが設けられており、この凹溝１７ａ，１７ｂを外輪１の突条６ａ，６ｂに嵌合して係止させ、固定するようになっている。
【００１３】
このようにして外輪１が固定されたチャック１５を矢印ａ方向に回転させ、砥石２０を矢印ｂ方向に回転させて外輪１の外周面を研摩すれば、外輪１の外周面をほぼ真円に形成することができる。なお、外輪１の内周面は、前述のようにリングに入れてほぼ真円に研摩される。
【００１４】
図４は本実施の形態に係る分割ころ軸受の外輪の他の例を示す斜視図である。なお、図２と同じ部分にはこれと同じ符号を付し、説明を省略する。
図１の例では、外輪１の鍔部５ａ，５ｂの外壁面に係止部であるリング状の突条６ａ，６ｂを設けた場合を示したが、本例は、外輪１の鍔部５ａ，５ｂの外壁面の本体部２と同心上の位置に、複数の突部８ａ，８ｂを設けたものである。なお、チャック１５の固定部１６ａ，１６ｂの内壁には、この突部８ａ，８ｂに対応してこれが嵌合して係止する凹部が設けられる。
本例における外輪１の外周面の研摩は、図３で説明した場合と同様である。
【００１５】
上記のように構成した本実施の形態によれば、外輪１の鍔部５ａ，５ｂの外壁面に係止部である突条６ａ，６ｂ又は突部８ａ，８ｂを設け、これら係止部に嵌合して係止する凹溝１７ａ，１７ｂ又は凹部を有するチャック１５により外輪１の両端部を固定し、その外周面を砥石２０により研摩するようにしたので、研摩の際に外輪１の中心部がずれることがなく、外輪１の外周面をほぼ真円に形成することができ、これにより、ハウジングに組込んだ際に騒音を発したり、疲労破壊を生じたりすることがないので、回転精度を向上させることができるばかりでなく、軸受の寿命を延ばすことができる。
【００１６】
また、外輪１の鍔部５ａ，５ｂの外壁面に係止部を設けたことにより、外輪１をチャック１５やハウジングに組込む際の位置決めに利用することができる。また、図４に示すように、係止部を複数の突部７ａ，７ｂで形成した場合は、チャック１５やハウジングに組込んだ場合の回り止めとすることができる。
さらに、外輪１をワイヤカットにより軸方向にＶ字状やＵ字状などに切断して分割したので、分割作業が容易であるばかりでなく、ハウジングに組込んだ際に、軸方向のずれを生じることがない。
【００１７】
［実施の形態２］
実施の形態１においては、外輪１の鍔部５ａ，５ｂの外壁面に、チャック１５との係止部であるリング状の突条６ａ，６ｂ又は複数の突部８ａ，８ｂを設けた場合を示したが、本実施の形態は、外輪１の鍔部５ａ，５ｂの外壁面にチャック１５への係止部として、図５に示すように、リング状の凹溝９ａ，９ｂ又は複数の凹部（図示せず）を設けたものである。この場合、チャック１５の固定部１６ａ，１６ｂの内壁には、この係止部に係止するリング状の突条又は複数の突部を設ける。なお、チャック１５に設けるリング状の突条６ａ，６ｂは複数に分断した突部であってもよい。
本実施の形態に係る外輪１の作用、効果は、実施の形態１の場合とほぼ同様である。
【００１８】
上記の説明では、外輪を軸方向に２分割した分割ころ軸受に本発明を実施した場合を示したが、外輪を軸方向に３分割又はそれ以上に分割した分割ころ軸受、あるいは合成樹脂からなり軸方向の１か所を切断した外輪からなるころ軸受にも本発明を実施することができる。
【図面の簡単な説明】
【００１９】
【図１】本発明の実施の形態１に係る分割ころ軸受の一部を省略した縦断面図である。
【図２】図１の外輪の斜視図である。
【図３】外輪の外周面の研摩の説明図である。
【図４】実施の形態１の外輪の他の例を示す斜視図である。
【図５】本発明の実施の形態２に係る分割ころ軸受の一部を省略した縦断面図である。
【符号の説明】
【００２０】
１  外輪、５ａ，５ｂ  鍔部、６ａ，６ｂ  突条、８ａ，８ｂ  突部、９ａ，９ｂ  凹溝、１０  ころ、１１  保持器、１５  研摩装置のチャック、１７ａ，１７ｂ  凹溝、２０  砥石。
【図１】
2007270850.tif 000003
【図２】
2007270850.tif 000004
【図３】
2007270850.tif 000005
【図４】
2007270850.tif 000006
【図５】
2007270850.tif 000007